(57)【要約】【課題】    地震や風によってテールコードが激しく揺動しても、そのテールコードの揺動を確実に抑止し、昇降路ダクトからの飛び出しを未然に回避することにある。【解決手段】  乗りかご３から当該昇降路ダクト７の隙間８を通ってヒッチ５が突設され、このヒッチからテールコード６が昇降路ダクトの中に吊下げられている。この状態において、昇降路ダクトの隙間を挟んでダクト一方側に回転支点１２を介してコード止め部材１１を取り付け、かつ、このコード止め部材の後端側に所要の重さのウェイト１３が吊下げられている。そして、常時は、ウェイトの重さを利用してコード止め部材が昇降路ダクトの隙間を跨いで水平状態を維持しているので、テールコードの揺動による隙間からの飛び出しを抑止でき、また、乗りかごがコード止め部材を通過する時、ウェイトの重さに抗してヒッチがコード止め部材に押し付けるので、コード止め部材が回転してヒッチを通過させるので、コード止め部材に影響されずに乗りかごを走行させることができる。【選択図】      図１
2005145614.tif 000002
【特許請求の範囲】
【請求項１】
昇降路にテールコードを収納する昇降路ダクトが形成され、乗りかごから当該昇降路ダクトの隙間を通って突設されたヒッチより吊下げた前記テールコードを前記昇降路ダクトの中に吊下げて昇降するエレベータにおいて、
前記昇降路ダクトの隙間を挟んでダクト一方側に回転支点を介して回転可能に取り付けられ、先端部が前記隙間を跨いでダクト他方側に遊動可能に延在される所定形状のコード止め部材と、
このコード止め部材の後端部側に吊下げられた所要の重さを有するウェイトとを備え、
常時は前記ウェイトの重さを利用して前記コード止め部材が前記昇降路ダクトの隙間を跨いで水平状態を維持し、前記乗りかごの昇降時に前記ウェイトの重さに抗して前記ヒッチから押圧力を受けた場合、前記コード止め部材が回転して当該ヒッチを通過させることを特徴とするエレベータのテールコード振れ止め装置。
【請求項２】
昇降路にテールコードを収納する昇降路ダクトが形成され、乗りかごから当該昇降路ダクトの隙間を通って突設されたヒッチより吊下げた前記テールコードを前記昇降路ダクトの中に吊下げて昇降するエレベータにおいて、
前記昇降路ダクトの隙間を挟んでダクト一方側に回転支点を介して回転可能に取り付けられ、少なくとも前記隙間を跨いでダクト他方側に遊動可能に延在される複数の羽体からなる回転羽が設けられ、
常時は前記回転羽の何れかの羽体が前記昇降路ダクトの隙間を跨いでほぼ水平状態を維持し、前記乗りかごの昇降時に１つの羽体が前記ヒッチから押圧力を受けた場合、前記回転羽が回転して当該ヒッチを通過させることを特徴とするエレベータのテールコード振れ止め装置。
【請求項３】
請求項１又は請求項２に記載のエレベータのテールコード振れ止め装置において、
前記ヒッチと接触する前記コード止め部材、前記回転羽の各羽体の接触面又は当該コード止め部材等と接触するヒッチの接触面に緩衝材を設けたことを特徴とするエレベータのテールコード振れ止め装置。
【請求項４】
請求項１又は請求項２に記載のエレベータのテールコード振れ止め装置において、
前記コード止め部材、前記回転羽の各羽体と前記ヒッチとの接触面に、互いに反発力を発生させるための磁石を取り付け、
前記ヒッチの接近に応じて前記コード止め部材、各羽体が反発力を利用して自動的に逃げるようにしたことを特徴とするエレベータのテールコード振れ止め装置。
【請求項５】
昇降路にテールコードを収納する昇降路ダクトが形成され、乗りかごから当該昇降路ダクトの隙間を通って突設されたヒッチより吊下げた前記テールコードを前記昇降路ダクトの中に吊下げて昇降するエレベータにおいて、
前記昇降路ダクトの隙間を挟んでダクト一方側から当該隙間を跨いでダクト他方側に延在する進退可能なコード止め部材と、
このコード止め部材から所定距離離れた前記ダクト一方側の上下位置に取り付けられ、前記ヒッチの接近を感知するセンサーと、
常時は前記隙間を跨ぐように前記コード止め部材を前進させ、前記センサからヒッチ感知信号を受けたとき、前記コード止め部材を退避させる駆動制御手段とを備えたことを特徴とするエレベータのテールコード振れ止め装置。
【請求項６】
昇降路にテールコードを収納する昇降路ダクトが形成され、乗りかごから当該昇降路ダクトの隙間を通って突設されたヒッチより吊下げた前記テールコードを前記昇降路ダクトの中に吊下げて昇降するエレベータにおいて、
前記昇降路ダクトの隙間の相対する両側に取り付けられたガイド部材と、
前記ヒッチを挟んで上下にそれぞれ設けられ、前記乗りかごの昇降に伴う前記ヒッチの上下移動に伴って前記ガイド部材にガイドされながら伸縮動作する折り畳み式シャッターとを備えたことを特徴とするエレベータのテールコード振れ止め装置。
【請求項７】
昇降路にテールコードを収納する昇降路ダクトが形成され、乗りかごから当該昇降路ダクトの隙間を通って突設されたヒッチより吊下げた前記テールコードを前記昇降路ダクトの中に吊下げて昇降するエレベータにおいて、
地震時や強風時による前記乗りかごを吊下げるメインロープ、当該乗りかごの下側に吊下げられるコンペンチェーンを含むコンペンロープの揺動を検知する手段と、
前記乗りかごからのヒッチ突出方向に直交する昇降路の壁面に回動可能に取り付けられ、前記検知手段によるロープ揺動の検知時、横転させて前記ロープの揺動を抑制するためのロープ振れ止め枠と、
このロープ振れ止め枠の前記ダクト隙間の対峙面側に取り付けられ、前記ロープ振れ止め枠の回動による横転時、前記昇降路ダクトの隙間を水平状態に跨ぐように設定されるコード振れ止め枠とを備えたことを特徴とするエレベータのテールコード振れ止め装置。
【発明の詳細な説明】
【技術分野】
【０００１】
本発明は、地震や風による建物の揺れ、走行速度等その他種々の要因によって生じるテールコードの揺動の影響を回避するエレベータのテールコード振れ止め装置に関する。
【背景技術】
【０００２】
従来の一般的なエレベータでは、図９に示すように構成されている。同図（ａ）は昇降路の横断面図、同図（ｂ）は同図（ａ）に示すＣ−Ｃ矢視断面図、同図（ｃ）は同図（ｂ）に示すＤ−Ｄ矢視断面図である。
【０００３】
このエレベータでは、図９（ａ）〜（ｃ）に示すように建物の必要な箇所に昇降路５１が設けられ、この昇降路５１内部の上下方向に一対のガイドレール５２，５２が設置されている。乗りかご５３は、かご両側面側に付設されるガイド５４を介してガイドレール５２，５２に係合されて移動可能に設けられている。
【０００４】
乗りかご５３にはヒッチ５５を経由してテールコード５６が吊下げられている。このテールコード５６は、乗りかご５３に電力を供給したり、エレベータ制御盤との間の制御信号の送受信用信号線等を含む複数の信号線からなっている。
【０００５】
ところで、地震や風による建物の揺れに伴うテールコード５６の揺動対策が必要なエレベータや昇降路壁の無い屋外形エレベータ等では、前述する地震や風による建物の揺れや屋外の風等を受ける結果、テールコード５６が揺動する。
【０００６】
そこで、乗りかご５３に吊下げられたテールコード５６が揺動すると、他の機器に引っ掛けて損傷させたり、またテールコード自体を破断させるなどの問題が出てくるので、昇降路５1内部の上下方向にテールコード５６を昇降させるための昇降路ダクト５７が形成され、乗りかご５３から突設させたヒッチ５５を昇降路ダクト５７側に導き、ヒッチ５５先端側からテールコード５６を昇降路ダクト５７に垂らすように構成されている。
【発明の開示】
【発明が解決しようとする課題】
【０００７】
ところで、以上のようなエレベータシステムでは、地震や風によってテールコード５６の揺動が激しくなってくると、昇降路ダクト５７の隙間５８からテールコード５６が飛び出し、他機器に引っ掛けて損傷させたり、テールコード自体が破断するなどの損傷を受ける。テールコード５６の揺動は建物の高層化に伴って益々激しくなり、適切な揺動抑制策が望まれていた。
【０００８】
本発明は上記事情に鑑みてなされたもので、地震や風によってテールコードが激しく揺動しても、そのテールコードの揺動を確実に抑止し、昇降路ダクトからの飛び出しを未然に回避するエレベータのテールコード振れ止め装置を提供することを目的とする。
【課題を解決するための手段】
【０００９】
（１）  上記課題を解決するために、本発明に係るエレベータのテールコード振れ止め装置は、昇降路にテールコードを収納する昇降路ダクトが形成され、乗りかごから当該昇降路ダクトの隙間を通って突設されたヒッチより吊下げたテールコードを昇降路ダクトの中に吊下げて昇降するエレベータに適用され、具体的には、昇降路ダクトの隙間を挟んでダクト一方側に回転支点を介して回転可能に取り付けられ、先端側が前記隙間を跨いでダクト他方側に遊動可能に延在される所定形状のコード止め部材と、このコード止め部材の後端部側に吊下げられた所要の重さを有するウェイトとを設け、常時は前記ウェイトの重さを利用して前記コード止め部材が前記昇降路ダクトの隙間を跨いで水平状態を維持し、前記乗りかごの昇降時に前記ウェイトの重さに抗して前記ヒッチから押圧力を受けた場合、前記コード止め部材が回転して当該ヒッチを通過させる構成である。
【００１０】
この発明は以上のような構成とすることにより、常時、ウェイトは自身の重さによって回転支点を介してコード止め部材の後端部側から真下方向に吊り下がっているので、コード止め部材の先端部側が隙間を跨いで水平状態を維持し当該隙間を塞ぐようにするので、乗りかごからヒッチを介して吊下げられているテールコードに揺動が発生して隙間から飛び出そうとしても、コード止めバーで抑止するので、隙間からのテールコードの飛び出しを未然に回避できる。一方、乗りかごから突設されたヒッチがコード止めバーを通過する時、ウェイトの重さに抗してコード止めバーに押圧力を与えるので、回転支点を介してコード止め部材が回転するので、ヒッチを確実に通過させることができる。
【００１１】
なお、コード止め部材に代えて、ダクト一方側に回転支点を介して複数枚の羽体からなる回転羽を回転可能に取り付けた場合でも、常時は何れかの羽体が隙間を跨いで水平状態を維持しているので、テールコードが隙間から飛び出そうとしても、羽体で抑止するので、隙間からのテールコードの飛び出すを未然に回避できる。また、乗りかごの昇降時に羽体がヒッチから押圧力を受けると回転するので、前述同様にヒッチを容易に通過させることが可能となる。
【００１２】
また、ヒッチと接触するコード止め部材、回転羽の各羽体の接触面に緩衝材を設ければ、ヒッチの接触による衝撃を和らげることができ、よって乗りかごの振動や接触音を抑制でき、エレベータ利用者がエレベータを快適な状態で利用することが可能となる。
【００１３】
さらに、前述するコード止め部材、回転羽の各羽体とヒッチとの接触面に、互いに反発力を起こさせる磁石を取り付けることにより、ヒッチの接近に応じて前記コード止め部材、回転羽の各羽体が反発して自動的に逃げる動作するので、ヒッチを接触させずにコード止め部材等を回転させつつ逃がすことが可能となり、乗りかごの振動や接触音を抑制でき、エレベータ利用者がエレベータを快適な状態で利用することが可能となる。
【００１４】
（２）  また、本発明に係るエレベータのテールコード振れ止め装置は、昇降路にテールコードを収納する昇降路ダクトが形成され、乗りかごから当該昇降路ダクトの隙間を通って突設されたヒッチから吊下げられたテールコードを昇降路ダクトの中に吊下げて昇降するエレベータに適用され、具体的には、昇降路ダクトの隙間を挟んでダクト一方側から当該隙間を跨いでダクト他方側に延在する進退可能なコード止め部材と、このコード止め部材から所定距離離れた前記ダクト一方側の上下位置に取り付けられ、前記ヒッチの接近を感知するセンサーと、常時は前記隙間を跨ぐように前記コード止め部材を前進させ、前記センサからヒッチ感知信号を受けたとき、前記コード止め部材を退避させる駆動制御手段とを設けた構成である。
【００１５】
この発明は以上のような構成とすることにより、センサーがヒッチの接近を感知すると、ヒッチ感知信号を駆動制御手段に送出するので、この駆動制御手段は、コード止め部材を退避させるように駆動するので、ヒッチがコード止め部材に接触せずに確実に該当箇所の隙間を通過していくので、振動・騒音の無い快適なエレベータのテールコード振れ止め装置を実現することが可能となる。
【００１６】
（３）  さらに、本発明に係るエレベータのテールコード振れ止め装置は、昇降路ダクトの隙間の相対する両側に取り付けられたガイド部材と、ヒッチを挟んで上下にそれぞれ設けられ、乗りかごの昇降に伴う前記ヒッチの上下移動に伴って前記ガイド部材にガイドされながら伸縮動作する折り畳み式シャッターとを設ければ、乗りかごの昇降に伴うヒッチの上下移動に伴って折り畳み式シャッターが当該ヒッチに追従しながら伸縮するので、昇降路ダクトの隙間を折り畳み式シャッターで塞いだ状態となるので、隙間からのテールコードの飛び出すを完全に防ぐことが可能となる。
【００１７】
（４）  さらに、本発明に係るエレベータのテールコード振れ止め装置は、地震時や強風時による前記乗りかごを吊下げるメインロープ、当該乗りかごの下側に吊下げられるコンペンチェーンを含むコンペンロープの揺動を検知する手段と、前記乗りかごからのヒッチ突出方向に直交する昇降路の壁面に回動可能に取り付けられ、前記検知手段によるロープ揺動の検知時、横転させて前記ロープの揺動を抑制するためのロープ振れ止め枠と、このロープ振れ止め枠の前記ダクト隙間の対峙面側に取り付けられ、前記ロープ振れ止め枠の回動による横転時、前記昇降路ダクトの隙間を水平状態に跨ぐように設定されるコード振れ止め枠とを設けることにより、地震時や強風時にメインロープとともに隙間からのテールコードの飛び出しも同時に防止でき、しかもヒッチに接触する部品が不要となり、振動・騒音の無い快適なエレベータのテールコード振れ止め装置を実現することが可能となる。
【発明の効果】
【００１８】
本発明は、乗りかごから当該昇降路ダクトの隙間を通って突設されたヒッチより吊下げたテールコードを昇降路ダクトの中に吊下げて昇降するに際し、常時は昇降路ダクトの隙間に跨るバー等のコード止め部材が設けられ、乗りかごの通過時にコード止め部材に制限されずにヒッチを通過可能したので、地震や風等によってテールコードの揺動が大きくなっても、テールコードの昇降路ダクト隙間からの飛び出しを未然に回避することができる。
【発明を実施するための最良の形態】
【００１９】
以下、本発明の実施の形態について図面を参照して説明する。
【００２０】
（第１の実施の形態）
図１は本発明に係るエレベータのテールコード振れ止め装置の第1の実施の形態を示す構成図である。なお、同図（ａ）は昇降路の横断面図、同図（ｂ）は同図（ａ）に示すＡ−Ａ矢視断面図、同図（ｃ）は同図（ｂ）に示すＢ−Ｂ矢視断面図である。
【００２１】
この発明に係るテールコード振れ止め装置は、従来例で説明した一般的なエレベータだけでなく、種々の形態，種類のエレベータに適用されるが、ここでは、説明の便宜上、従来例で説明したエレベータを例にあげて説明する。
【００２２】
エレベータは、建物の必要な箇所に昇降路１が設けられ、この昇降路１内部の上下方向に互いに向き合うように一対のガイドレール２，２が設置されている。乗りかご３は、かご両側面側に付設されるガイド４を介してガイドレール２，２に係合され、当該ガイドレール２，２にそって移動可能に設けられている。
【００２３】
この乗りかご３にはヒッチ５を介してテールコード６が吊下げられ、このテールコード６は昇降路1の一側壁内に形成された昇降路ダクト７に垂らすように設けられている。このテールコード６は、乗りかご３に電力を供給する電源供給線やエレベータ制御盤（図示せず）との間の制御信号の伝送を司る信号線等を含む線集合体である。
【００２４】
前記昇降路ダクト７には、乗りかご３から突設されるヒッチ５先端側を抱え込んでテールコード６をダクト内で昇降させるために、ダクト上下方向にヒッチ５を通過させるための隙間８が形成されている。
【００２５】
さらに、この昇降路ダクト７に形成された隙間８を跨ぐようにＬ字形状のコード止めバー１１が配置されている。このコード止めバー１１は、後端部に比較的近い部分を折り曲げてＬ字形状に形成され、当該折り曲げ部分が回転支点１２により回転可能に軸支されている。そして、コード止めバー１１の後端部側に所要の重さのウェイト１３がリンク支点１４を介して吊下げられている。
【００２６】
また、コード止めバー１１の先端部側は、隙間８を跨いで昇降路ダクト７の他方側部側に遊動可能な状態で延在されている。なお、昇降路ダクト７の他方側部側はコード止めバー１１の先端部を遊動できる状態で没入可能なバー先端収容凹部１５が形成されている。
【００２７】
このコード止めバー１１は、昇降路ダクト７上下方向の少なくとも一箇所に取り付けるが、建物の高さ、風等による建物の揺動の大きさ等を考慮し、複数の箇所に取り付けるものである。
【００２８】
従って、以上のようなテールコード振れ止め装置においては、常時はウェイト１３の重さを利用し、コード止めバー１１が隙間８を跨いで水平状態を維持している。その結果、乗りかご３の昇降時、乗りかご３に吊下げられているテールコード６に揺れが生じて隙間８から飛び出しそうな状態となっても、コード止めバー１１に接触することにより、テールコード６の揺動を抑制し、隙間８からの飛び出しを未然に回避できる。
【００２９】
乗りかご３がコード止めバー１１の取り付け箇所を通過する時、乗りかご３に突設されるヒッチ５がウェイト１３の重量に抗する押圧力でコード止めバー１１を押上げ又は押下げるので、コード止めバー１１は回転支点１２を回転軸とし、コード止めバー１１先端側が上下何れかの方向に逃げるので、ヒッチ５をスムーズに通過させることができる。そして、乗りかご３の通過後、ウェイト１３の重さを利用し、コード止めバー１１が自然に元通りの水平状態に復帰する。
【００３０】
従って、以上のような実施の形態によれば、乗りかご３が通過する一瞬を除き、ほとんど常時コード止めバー１１が昇降路ダクト７の隙間８を跨ぐ状態に設定されているので、テールコード６が隙間８から飛び出そうとしてもコード止めバー１１で抑止されるので、隙間８からの飛び出すを防止でき、信頼性の高いコード振れ止め装置を実現できる。
【００３１】
なお、上記実施の形態では、ウェイト１３によりコード止めバー１１の水平状態を維持する構成としたが、例えばウェイトの代わりに引っ張りバネを設け、そのバネの初期張力でコード止めバー１１の水平状態を維持する構成でも同様の効果が得られる。また、コード止めバー１１は昇降路ダクト７の一方側部側に取り付けて隙間８を跨ぐようにしたが、昇降路ダクト７の両側部側から互いに隙間８を跨ぐようにコード止めバー１１を取り付けた構成であってもよい。また、コード止めバー１１は、金属、樹脂等一般に入手可能な材料を用いて容易に作ることができる。
【００３２】
さらに、上記実施の形態では、昇降路壁のある通常のエレベータについて適用したが、例えば屋外形エレベータにも同様に適用できるものである。
【００３３】
次に、図２は本発明に係るエレベータのテールコード振れ止め装置の他の実施の形態を示す構成図である。
【００３４】
テールコード振れ止め装置の基本的な構成は図１と同様であるので、詳しくは図１の説明に譲り、特に異なる部分について説明する。
【００３５】
すなわち、このテールコード振れ止め装置は、図１ではＬ字形状のコード止めバー１１用いて構成したが、この実施の形態では、先端側がコ字形状のコード止めバー１１ａを用いたものでもよい。
【００３６】
このような先端コ字形状のコード止めバー１１ａを用いた構成の場合、昇降路ダクト７に形成される隙間８を塞ぐ領域が増えるだけでなく、実質的に高さ方向の寸法１６が増大するので、図１と比較してテールコード６の飛び出し防止性能が大幅に向上する。
【００３７】
（第２の実施の形態）
図３は本発明に係るエレベータのテールコード振れ止め装置の第２の実施の形態を示す構成図である。
【００３８】
このエレベータのテールコード振れ止め装置において、基本的な構成は図１に示す実施の形態と同じであるので、詳しくは図１の説明に譲り、ここでは特に異なる部分について説明する。
【００３９】
この実施の形態においては、Ｌ字形状コード止めバー１１又はコ字形状のコード止めバー１１ａに代えて、昇降路ダクト７の隙間８を挟んで昇降路ダクト７の一方側部側に例えば４枚の羽体からなる回転羽１７が回転支点１２により回転可能に軸支され、常時は自由に回転可能な状態になっている。この回転羽１７の各羽体は余裕をもって隙間８を跨ぐ程度の長さに形成されている。
【００４０】
このようなテールコード振れ止め装置によれば、常時は、回転羽１７は複数の羽体のうち何れか１つの羽体が隙間８を跨ぐように設定されている。この状態において、乗りかご３が通過する時、回転羽１７はヒッチ５に押されて回転し、当該ヒッチ５を通過させる。この乗りかご３の通過後、回転羽１７の他の１つの羽体が隙間８に跨るように元の状態に戻った状態で静止する。
【００４１】
従って、この実施の形態によれば、第1の実施の形態と同様の効果を奏する他、可動部品が少なく、かつ回転羽１７自体が一体成形でき、さらに部品点数が少ないので、低コストで信頼性の高いテールコード振れ止め装置を実現できる。
【００４２】
なお、上記実施の形態では、回転羽１７が自由に回転可能に取り付けられているので、乗りかご３の通過後、回転羽１７の１つの羽体が完全に隙間８に水平状態を設定されるとは限らないが、例えば回転支点１２を中心軸とし、その上下何れか一方又は両方に微小な吸引力をもつ例えば磁石等の吸着体１８を設置しておけば、乗りかご３の通過後、回転羽１７の１つの羽体を吸着しようと作用するので、この羽体に直交する他の１つの羽体が隙間８に完全に水平状態に設定することができる。なお、この場合、回転羽１７は吸着体１８で吸着可能な性質の材料である必要がある。
【００４３】
（第３の実施の形態）
図４は本発明に係るエレベータのテールコード振れ止め装置の第３の実施の形態を示す構成図である。
【００４４】
このエレベータのテールコード振れ止め装置において、基本的な構成は図１〜図３に示す実施の形態と同じであるので、詳しくは図１〜図３の説明に譲り、ここでは特に異なる部分について説明する。
【００４５】
この実施の形態では、乗りかご３の通過時にヒッチ５が接触する図1に示すＬ字形状コード止めバー１１、図２に示すコ字形状のコード止めバー１１ａ或いは図３に示す回転羽１７等の接触面に緩衝材１９を取り付けた構成である。
【００４６】
このようにコード止めバー１１，１１ａ，回転羽１７等の接触面に緩衝材１９を取り付ければ、乗りかご３が移動接近し、ヒッチ５がバー１１等に接触したとき、振動や騒音の発生要因となる可能性があるが、ヒッチ５を緩衝材１８に接触させるようにすれば、バー接触時の衝撃を和らげることが可能となる。
【００４７】
従って、以上のような実施の形態によれば、前述する各実施の形態と同様な作用効果を奏する他、コード止めバー１１，１１ａ，回転羽１７等の接触面に緩衝材１９を設けることにより、乗りかご３の振動や接触音を抑制することができ、エレベータ利用者及び建物利用者にとって快適な状態でエレベータを利用することができる。
【００４８】
なお、この実施の形態では、コード止めバー１１，１１ａ，回転羽１７等に緩衝材１９を取り付けたが、ヒッチ５側に取り付けた構成であっても同様の効果が得られる。
【００４９】
（第４の実施の形態）
図５は本発明に係るエレベータのテールコード振れ止め装置の第４の実施の形態を示す構成図である。
【００５０】
このエレベータのテールコード振れ止め装置において、基本的な構成は図１〜図３に示す実施の形態と同じであるので、詳しくは図１〜図３の説明に譲り、ここでは特に異なる部分について説明する。
【００５１】
この実施の形態では、図1に示すＬ字形状コード止めバー１１、図２に示すコ字形状のコード止めバー１１ａ或いは図３に示す回転羽１７と乗りかご側のヒッチ５とに互いに反発力を発生する永久磁石又は電磁石２０、２１を設けた構成である。
【００５２】
このようにコード止めバー１１，１１ａ，回転羽１７とヒッチ５とに互いに反発する磁石２０，２１を設ければ、通常時、コード止めバー１１，１１ａ，回転羽１７が隙間８を跨ぐように水平状態を維持されているが、乗りかご３の通過時、ヒッチ５が接近すると、バー１１，１１ａ，回転羽１７側に取り付けられた磁石２０がヒッチ側の磁石２１に反発する形で回転し、常にバー１１，１１ａ，回転羽１７等がヒッチ５から遠ざかる方向に回転することから、これらバー１１，１１ａ，回転羽１７等が隙間８の塞ぎを解除する方向に逃げるので、容易にヒッチ５を通過させることができる。そして、乗りかご３の通過後、元通りに隙間８を跨いで水平状態に復帰する。
【００５３】
この実施の形態によれば、前述する第1，第２の実施の形態の効果を加え、バー１１，１１ａ，回転羽１７とヒッチ５とが接触しないので、振動・騒音が発生しない快適なエレベータのテールコード振れ止め装置を実現できる。
【００５４】
（第５の実施の形態）
図６は本発明に係るエレベータのテールコード振れ止め装置の第５の実施の形態を示す構成図である。
【００５５】
このエレベータのテールコード振れ止め装置において、基本的な構成は図１〜図３に示す実施の形態と同じであるので、詳しくは図１〜図３の説明に譲り、ここでは特に異なる部分について説明する。
【００５６】
この実施の形態では、隙間８を挟んで昇降路ダクト７の一方側部側に進退移動可能なコード止めバー３１をもつ駆動制御装置３２が設置され、さらに当該制御装置３２の上下方向の近傍位置にヒッチ接近感知センサ３３，３４が設置されている。この駆動制御装置３２は、常時はコード止めバー３１を隙間８を跨ぐように水平方向に前進させ、何れか一方の接近感知センサ例えば３３にてヒッチ接近を感知すると、乗りかご３ないしヒッチ５の通過と判断し、コード止めバー３１を自動的に退避させることにより、当該ヒッチ５が自由に通過できるような状態を作り出す。
【００５７】
乗りかご３の通過後は、他方の接近感知センサ３４にてヒッチが通過したことを感知すると、コード止めバー３１の退避を解除し、前進駆動により元の状態である隙間８を跨ぐように水平方向に移動させる。
【００５８】
従って、この実施の形態によれば、第４の実施の形態と同様に、バー１１，１１ａ，回転羽１７とヒッチ５とが接触しないので、振動・騒音が発生しない快適なエレベータのテールコード振れ止め装置を実現できる。
【００５９】
なお、一方のセンサ３３又は３４でヒッチ接近を感知してコード止めバー３１を退避させ、他方のセンサ３３又は３４でヒッチ接近を感知してコード止めバー３１の退避を解除するようにしたが、例えば各センサ３３、３４でヒッチ接近を感知したときにヒッチ感知用パルスを駆動制御装置３２に送出し、この駆動制御装置３２はヒッチ感知用パルスを受信後所定時間後に自動的にコード止めバー３１の退避を解除するよう動作させてもよい。
【００６０】
また、駆動制御装置３２は、コード止めバー３１の前進又は退避の何れか一方を駆動し、その他方となる退避又は前進を圧縮バネ又は伸張バネを用いて駆動させる構成であってもよい。
【００６１】
（第６の実施の形態）
図７は本発明に係るエレベータのテールコード振れ止め装置の第６の実施の形態を示す構成図である。
【００６２】
このエレベータのテールコード振れ止め装置において、基本的な構成は図１〜図３に示す実施の形態と同じであるので、詳しくは図１〜図３の説明に譲り、ここでは特に異なる部分について説明する。
【００６３】
この実施の形態では、昇降路ダクト７に形成される隙間８の両端側にそれぞれガイド部材４１，４１が併設され、さらに図1に示すＬ字形状コード止めバー１１、図２に示すコ字形状のコード止めバー１１ａ或いは図３に示す回転羽１７の替わりに、乗りかご３から突設されるヒッチ５の上下方向の隙間８を塞ぐように折り畳み式シャッター４２ｕ、４２ｄが前記ガイド部材４１，４１にそって移動するとともに、ヒッチ５の移動に伴って伸縮動作するように設けられている。
【００６４】
このヒッチ５を挟む折り畳み式シャッター４２ｕ，４２ｄは、乗りかご３の上昇時、ヒッチ５が上側方向に移動するが、この移動に伴い、下側折り畳み式シャッター４２ｄがヒッチ５で引っ張られて伸びる方向に動作し、一方、上側折り畳み式シャッター４２ｕはヒッチ５に押されて縮小する方向，つまり折りたたむように動作する。よって、乗りかご３の昇降動作に伴い、ヒッチ５の上下に設けられた折り畳み式シャッター４２ｕ、４２ｄが交互に伸縮を繰り返すことにより、常にシャッター４２ｕ、４２ｄにより昇降路ダクト７に形成される隙間８を塞ぐので、隙間８から飛び出そうとするテールコード６を完全に封ずることができ、信頼性の高いエレベータのテールコード振れ止め装置を実現できる。
【００６５】
（第７の実施の形態）
図８は本発明に係るエレベータのテールコード振れ止め装置の第７の実施の形態を示す構成図である。
【００６６】
このエレベータのテールコード振れ止め装置において、基本的な構成は図１〜図３に示す実施の形態と同じであるので、詳しくは図１〜図３の説明に譲り、ここでは特に異なる部分について説明する。
【００６７】
この実施の形態は、昇降路１に互いに向き合うようにガイドレール２，２が配置され、これらガイドレール２，２を結ぶラインと直交する方向の昇降路１一方壁面の適宜な１箇所又は複数箇所に水平方向に横架された支持体４３と、地震時や強風時による乗りかごを吊下げるメインロープ４４、当該乗りかごの下側に吊下げられるコンペンチェーンを含むコンペンロープ（図示せず）の揺動を検知する揺動検知手段と、一端側が支持体４３に回転可能に取り付けられ、前記揺動検知手段によるロープ揺動の検知時、横転させてロープ４４等の揺動を抑制するＨ形状のロープ振れ止め枠４５と、このロープ振れ止め枠４５のダクト隙間の対峙面側に取り付けられ、ロープ振れ止め枠４５の回動による横転時、昇降路ダクト７の隙間８を水平状態に跨ぐように設定されるコード振れ止め枠４６とが設けられている。
【００６８】
なお、揺動検知手段としては、例えばメインロープ４４の両側から所定距離離れた昇降路水平ライン上に投・受光素子を設置し、例えばメインロープ４４が許容範囲を越えて揺動した際に遮光などによりロープ揺動を検知し、例えば支持体４３を回転するなどにより、ロープ振れ止め枠４５を水平となるように横転させれば、メインロープ４４等の振れ止めとともに、ロープ振れ止め枠４５に取り付けられているコード振れ止め枠４６も昇降路ダクト７の隙間８を跨ぐように設定される。
【００６９】
このテールコード振れ止め装置は、常時はロープ振れ止め枠４５が乗りかご３に接触しないように支持体４３に起立された状態で昇降路１に格納されているが、地震時や強風時に揺動検知手段によりロープ等の許容範囲を越える揺動を検知すると、ロープ振れ止め枠４５が横転し水平に展開する一方、コード振れ止め枠４６が昇降路ダクト７の隙間８を跨ぐので、ロープ及びテールコードの振れを同時に抑制でき、しかもヒッチ５に接触する部品が不要となるので、振動・騒音の無い快適なエレベータのコード振れ止め装置を実現できる。
【００７０】
その他、本発明は、上記実施の形態に限定されるものでなく、その要旨を逸脱しない範囲で種々変形して実施できる。
【００７１】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００７２】
【図１】本発明に係るエレベータのテールコード振れ止め装置の一実施の形態を示す構成図。
【図２】図１に示すテールコード振れ止め装置を構成するコード止めバーの他の例を説明する図。
【図３】本発明に係るエレベータのテールコード振れ止め装置の他の実施の形態例として回転羽を用いた構成図。
【図４】本発明に係るエレベータのテールコード振れ止め装置のさらに他の実施の形態例としてコード止めバーや回転羽に緩衝材を設けた構成図。
【図５】本発明に係るエレベータのテールコード振れ止め装置のさらに他の実施の形態例として磁石を用いた構成図。
【図６】本発明に係るエレベータのテールコード振れ止め装置のさらに他の実施の形態例としてヒッチ接近感知センサを設けた構成図。
【図７】本発明に係るエレベータのテールコード振れ止め装置のさらに他の実施の形態例として折り畳み式シャッターを用いた構成図。
【図８】本発明に係るエレベータのテールコード振れ止め装置のさらに他の実施の形態を示す構成図。
【図９】従来の一般的にエレベータの構成を示す図。
【符号の説明】
【００７３】
１…昇降路、２…ガイドレール、３…のりかご、４…ガイド、５…ヒッチ、６…テールコード、７…昇降路ダクト、８…隙間、１１，１１ａ…コード止めバー、１２…回転支点、１３…ウェイト、１７…回転羽、１９…緩衝材、２０，２１…磁石、３１…コード止めバー、３２…駆動制御装置、３３，３４…ヒッチ接近感知センサ、４２ｕ，４２ｄ…折り畳み式シャッター、４３…支持体、４４…メインロープ、４５…ロープ振れ止め枠、４６…コード振れ止め枠。
【図１】
2005145614.tif 000003
【図２】
2005145614.tif 000004
【図３】
2005145614.tif 000005
【図４】
2005145614.tif 000006
【図５】
2005145614.tif 000007
【図６】
2005145614.tif 000008
【図７】
2005145614.tif 000009
【図８】
2005145614.tif 000010
【図９】
2005145614.tif 000011